(57)【要約】【課題】リハビリテーション用にウエイトバンドを使用する者にとっても装着が簡単なウエイトバンドを提供する。【解決手段】ウエイトバンド１は、ウエイトが装着されるバンド本体部１０と、バンド本体部１０から延出するベルト１４と、バンド本体部１０に取り付けられてベルト１４が挿通されるベルト通し部１３と、ベルト通し部１３に挿通されて折り返されたベルト１４をバンド本体部１０に固定する固定手段１１と、ベルト１４がベルト通し部１３から抜けるのを防止する抜け止め部１５と、を備える。【選択図】図１
2016042979.tif 000002
【特許請求の範囲】
【請求項１】
ウエイトが装着されるバンド本体部と、
前記バンド本体部から延出するベルトと、
前記バンド本体部に取り付けられて前記ベルトが挿通されるベルト通し部と、
前記ベルト通し部に挿通されて折り返された前記ベルトを前記バンド本体部に固定する固定手段と、
前記ベルトが前記ベルト通し部から抜けるのを防止する抜け止め部と、
を備えることを特徴とするウエイトバンド。
【請求項２】
前記ベルトは、前記バンド本体部の長手方向の一端部から延出し、
前記ベルト通し部は、前記バンド本体部の長手方向の他端部寄りに設けられることを特徴とする請求項１に記載のウエイトバンド。
【請求項３】
前記抜け止め部の抜け止め機能が解除可能に設けられることを特徴とする請求項１又は２に記載のウエイトバンド。
【請求項４】
前記抜け止め部は、前記ベルトに取り付けられ、前記ベルト通し部の貫通穴を通過しない第１の向きと通過する第２の向きとを有することを特徴とする請求項３に記載のウエイトバンド。
【請求項５】
前記ベルト通し部と前記抜け止め部とは同一部材で構成されることを特徴とする請求項１から４のいずれかに記載のウエイトバンド。
【請求項６】
前記抜け止め部は、前記ベルトに対して着脱可能であることを特徴とする請求項３に記載のウエイトバンド。
【請求項７】
前記固定手段は、面ファスナーであることを特徴とする請求項１から６のいずれかに記載のウエイトバンド。
【発明の詳細な説明】
【技術分野】
【０００１】
本発明は、例えば腕部や脚部等の人体の一部に装着して使用されるウエイトバンドに関する。
【背景技術】
【０００２】
従来、リハビリテーション用やスポーツトレーニング用に使用されるウエイトバンドが知られている（例えば特許文献１や２参照）。手首や足首等に巻き付けて装着される従来のウエイトバンドは、例えば、バンド本体の一端の表面側に面ファスナーのオス（又はメス）が設けられ、バンド本体の他端の裏面側に面ファスナーのメス（又はオス）が設けられた構造を備えている。当該構造では、バンド本体を手首等に巻き付けた後に、面ファスナーのオスとメスとを重ね合わせることによって、ウエイトバンドを手首等に固定できる。
【０００３】
また、別の構造を備える従来のウエイトバンドとして、例えば、ウエイトが装着されたバンド本体から延び出すベルトを備えるものもある。当該構造では、面ファスナーのオス（又はメス）が設けられた前記ベルトを、バンド本体に設けられるリング状の金具に通して折り返した後に、バンド本体に設けられる面ファスナーのメス（又はオス）に重ね合わせることによって、ウエイトバンドを手首等に固定することができる。
【先行技術文献】
【特許文献】
【０００４】
【特許文献１】実用新案登録第３１１０２３３号公報
【特許文献２】実用新案登録第３１３６０６７号公報
【発明の概要】
【発明が解決しようとする課題】
【０００５】
従来のウエイトバンドは、腕部や脚部の太さに合わせて使用者に装着できるので便利である。しかしながら、例えばウエイトバンドがリハビリテーション用に使用される場合等には、使用者が満足に手を使用できないことも多く、従来の構造では、ウエイトバンドの装着が必ずしも容易ではない。また、麻痺を患う使用者にとっては、ベルトを金具に通すといった細かい作業が難しいことが多々ある。
【０００６】
以上の点に鑑みて、本発明の目的は、簡単に装着できるウエイトバンドを提供することである。本発明の他の目的は、リハビリテーション用にウエイトバンドを使用する者にとっても装着が簡単なウエイトバンドを提供することである。
【課題を解決するための手段】
【０００７】
上記目的を達成するために本発明のウエイトバンドは、ウエイトが装着されるバンド本体部と、前記バンド本体部から延出するベルトと、前記バンド本体部に取り付けられて前記ベルトが挿通されるベルト通し部と、前記ベルト通し部に挿通されて折り返された前記ベルトを前記バンド本体部に固定する固定手段と、前記ベルトが前記ベルト通し部から抜けるのを防止する抜け止め部と、を備える構成（第１の構成）になっている。なお、前記抜け止め部は、前記ベルトの先端部に取り付けられるのが好ましい。
【０００８】
本構成によれば、ベルトがベルト通し部から抜けるのを防止する抜け止め部が設けられているために、バンド本体部を輪状（丸まった形状）に維持できる。このために、使用者は、輪状のバンド本体部に手首等を通してベルトを引っ張るだけで簡単にバンド本体部を手首等に巻くことができる。また、本構成では、片麻痺の使用者が健側にウエイトバンドを取り付けるような場合であっても、口を利用してベルトを引っ張るといった動作によって、ウエイトバンドを簡単に手首等に装着することも可能である。すなわち、本構成のウエイトバンドは、リハビリテーション用途に好適である。
【０００９】
上記第１の構成のウエイトバンドにおいて、前記ベルトは、前記バンド本体部の長手方向の一端部から延出し、前記ベルト通し部は、前記バンド本体部の長手方向の他端部寄りに設けられる構成（第２の構成）であってよい。本構成によれば、手首や足首に巻くのに好適なウエイトバンドを提供し易い。
【００１０】
上記第１又は第２の構成のウエイトバンドにおいて、前記抜け止め部の抜け止め機能は、解除可能に設けられてよい（第３の構成）。本構成によれば、必要に応じてバンド本体部を平らに広げることができ、例えば保管時や運搬時の利便性の向上が期待できる。
【００１１】
上記第３の構成のウエイトバンドにおいて、前記抜け止め部は、前記ベルトに取り付けられ、前記ベルト通し部の貫通穴を通過しない第１の向きと通過する第２の向きとを有する構成（第４の構成）としてよい。本構成によれば、抜け止め機能を解除可能にするにあたって複雑な部品や機構を導入する必要がなく、低コストで便利なウエイトバンドを提供しやすい。
【００１２】
上記第１から第４のいずれかの構成のウエイトバンドにおいて、前記ベルト通し部と前記抜け止め部とは同一部材で構成されてよい（第５の構成）。本構成によれば、ウエイトバンドを低コストで製造しやすい。
【００１３】
上記第３の構成のウエイトバンドにおいて、前記抜け止め部は、前記ベルトに対して着脱可能であってよい（第６の構成）。本構成によれば、抜け止め機能を解除可能なウエイトバンドの取り扱い性を良くできる。
【００１４】
上記第１から第６のいずれかの構成のウエイトバンドにおいて、前記固定手段は、面ファスナーである構成（第７の構成）が好ましい。本構成によれば、手首等に巻き付けたバンド本体部を固定する作業を、ラフな動作で達成し易くできる。
【発明の効果】
【００１５】
本発明によれば、簡単に装着できるウエイトバンドを提供できる。また、本発明によれば、リハビリテーション用にウエイトバンドを使用する者にとっても装着が簡単なウエイトバンドを提供できる。
【図面の簡単な説明】
【００１６】
【図１】本発明の実施形態に係るウエイトバンドの構成を示す概略平面図
【図２】本発明の実施形態に係るウエイトバンドの構成を示す概略斜視図
【図３】本発明の実施形態に係るウエイトバンドの使用方法を説明するための図で、ウエイトバンドの取り付け開始時の状態を示す図
【図４】本発明の実施形態に係るウエイトバンドの使用方法を説明するための図で、ウエイトバンドが取り付けられた状態を示す図
【図５】本発明の実施形態に係るウエイトバンドの変形例を説明するための図
【図６】本発明の実施形態に係るウエイトバンドの他の変形例を説明するための図
【発明を実施するための形態】
【００１７】
以下、本発明の実施形態に係るウエイトバンドについて、図面を参照しながら詳細に説明する。なお、本発明の実施形態に係るウエイトバンドは、手首に巻いて使用するのに好適なバンドである。
【００１８】
図１は、本発明の実施形態に係るウエイトバンド１の構成を示す概略平面図である。また、図２は、本発明の実施形態に係るウエイトバンド１の構成を示す概略斜視図である。ウエイトバンド１は、柔軟性を有する材質で構成されるバンド本体部１０を備える。バンド本体部１０は、広げた状態において略長方形状を呈する。
【００１９】
バンド本体部１０の内面側には、ウエイト（不図示）を出し入れ可能な複数のポケット１０ａが設けられている。なお、バンド本体部１０の内面側とは、ウエイトバンド１が手首に巻かれる場合に手首と接する側を指す。ポケット１０ａに出し入れ可能なウエイトは、例えば、鉛球や鉄球等の金属が収容された袋体によって構成される。ポケット１０ａ内に入れられたウエイトが飛び出さないように、ポケット１０ａの口部を開閉する蓋を設けたり、ポケット１０ａの口部を広狭可能なゴムや紐を設けたりしてもよい。
【００２０】
なお、ポケット１０ａの数は、本実施形態の構成から適宜変更してよい。また、バンド本体部１０に装着されるウエイトは、バンド本体部１０に対して着脱可能でなくてもよく、バンド本体部１０に固着されてもよい。ただし、ウエイトは、本実施形態のように、複数に分けて取り付けられると共に、そのそれぞれがバンド本体部１０に対して着脱可能であるのが好ましい。このような構成とすると、１つのウエイトバンドで幅広い重量に対応可能となる等の利点がある。
【００２１】
バンド本体部１０の外面には、広い範囲（ほぼ全域）に亘って、面ファスナーの一方１１ａ（オス或いはメス）が配置されている。また、バンド本体部１０の長手方向の一端部寄りの外面には、固定ベルト１２を介して外形矩形状のリング１３が取り付けられている。なお、リング１３は、その内側に設けられる貫通穴１３ａの形状も矩形状になっている。また、リング１３は、本発明のベルト通し部の一例である。
【００２２】
リング１３は、詳細には、当該リング１３を挿通する固定ベルト１２の両端をバンド本体部１０の外面に固着することによって、バンド本体部１０に取り付けられている。このような固定方法のために、リング１３は、バンド本体部１０に対して多少動けるようになっている。なお、固定ベルト１２のバンド本体部１０への固定は、例えば縫合等を利用してよい。また、リング１３の材質は特に限定されるものではないが、リング１３は、例えば樹脂や金属を用いて構成できる。
【００２３】
また、バンド本体部１０の長手方向の他端部側の外面には、締付ベルト１４の一端側が縫合等によって固着されている。バンド本体部１０の他端部から延出した締付ベルト１４は、反対側の端部寄りに設けられるリング１３の貫通穴１３ａに挿通されている。締付ベルト１４の他端側（先端側）には、環状部１４ａが設けられている。また、締付ベルト１４の一方面（図１において手前側の面）には、面ファスナーの他方１１ｂ（バンド本体部１０の外面に設けられる面ファスナーの一方１１ａがオスの場合にはメス、前記面ファスナーの一方１１ａがメスの場合はオス）が設けられている。
【００２４】
なお、締付ベルト１４は、本発明のベルトの一例である。また、面ファスナーの一方１１ａ及び他方１１ｂは、本発明の固定手段の一例である。締付ベルト１４をバンド本体部１０に固定する固定手段は、場合によっては、面ファスナー以外の手段（例えばボタンとホック等）であってもよい。
【００２５】
締付ベルト１４の環状部１４ａには、リング状の抜け止め部１５が取り付けられている。本実施形態においては、製造コストの低減を狙って、抜け止め部１５として、バンド本体部１０に取り付けられるリング１３と同一のものが利用されている。締付ベルト１４の先端を抜け止め部１５の貫通穴１５ａに挿通した後に、当該先端を折り返して締付ベルト１４に固着（縫合等）することによって、抜け止め部１５は締付ベルト１４に取り付けられている。
【００２６】
なお、本実施形態では、抜け止め部１５とリング１３とを同一部材としているが、これは一例にすぎない。抜け止め部１５は、リング１３に挿通された締付ベルト１４がリング１３から抜けるのを防止する機能を発揮すればよく、リング１３とは異なる部材であってもよい。また、抜け止め部１５は、リング１３と異なる形状であってもよい。
【００２７】
本実施形態のウエイトバンド１においては、締付ベルト１４がリング１３から抜けないようになっている。このために、図１及び図２に示すように、バンド本体部１０は常に丸まった状態（輪状）に維持できる。なお、当然ながら、締付ベルト１４の長さが長すぎると、締付ベルト１４がリング１３から抜けないようになっていても、バンド本体部１０を輪状に維持できない。本実施形態では、バンド本体部１０を輪状に維持できるように、締付ベルト１４の長さが調整されている。
【００２８】
次に、以上のように構成されるウエイトバンド１の使用方法について、図３及び図４を参照しながら説明する。上述のように、ウエイトバンド１のバンド本体部１０は、常に輪状になっている（図２参照）。使用者は、図３に示すように、輪状のバンド本体部１０に手１００を入れて、バンド本体部１０が手首１０１の周囲に来るようにセットする。なお、バンド本体部１０に手を入れる際には、手や腕の大きさを考慮して、輪の大きさを適宜調整してもよい。
【００２９】
手首１０１がバンド本体部１０の適切な位置にセットされると、使用者は、図４に示すように締付ベルト１４をリング１３で折り返して引っ張る。そして、バンド本体部１０が手首を適度に締め付けた時点で、締付ベルト１４をバンド本体部１０に固定する。バンド本体部１０の外面に面ファスナーの一方１１ａが設けられ、折り返された締付ベルト１４の内面側に面ファスナーの他方１１ｂが設けられるために、締付ベルト１４をバンド本体部１０に簡単に固定できる。
【００３０】
本実施形態のウエイトバンド１によれば、締付ベルト１４が予めリング１３に通された状態から、ウエイトバンド１の手首への取り付けを開始することになる。このために、使用者は、輪状のバンド本体部１０に手を通した後、締付ベルト１４の先端側（抜け止め部１５が設けられる側）を引っ張るだけで簡単にウエイトバンド１を手首に巻き付けることができる。すなわち、片手しか使用できない使用者でも、ウエイトバンド１を簡単且つ適切に手首に巻くことができる。
【００３１】
なお、片麻痺の使用者が健側にウエイトバンド１を取り付けようとする場合であっても、締付ベルト１４或いは抜け止め部１５を口に加えて引っ張るといった動作によって、ウエイトバンド１を適切に手首に巻き付けることができる。この点を考慮して、抜け止め部１５は、口に加えやすい形状（例えば凹凸を含む形状等）としてもよい。
【００３２】
また、締付ベルト１４がバンド本体部１０の外面に重なる位置に配置されれば、締付ベルト１４は面ファスナー１１によってバンド本体部１０に簡単に固定できる。バンド本体部１０の外面は比較的広いために、締付ベルト１４を固定する作業はラフな動作で達成できる。この点からも、ウエイトバンド１は、麻痺のある使用者や細かい作業が行えない者の使用に適している。
【００３３】
以上に示した実施形態は、本発明の例示にすぎない。以上に示した実施形態の構成は、本発明の技術的思想を超えない範囲で適宜変更されて構わない。
【００３４】
以上に示した実施形態では、締付ベルト１４は、抜け止め部１５の存在によって、常にリング１３から抜けない構成とした。ただし、この構成であると、例えば保管時や運搬時に不便に感じられる可能性がある。この点を考慮して、ウエイトバンド１には、抜け止め部１５の抜け止め機能を解除する手段が設けられてもよい。抜け止め機能の解除により、締付ベルト１４をリング１３から外して、バンド本体部１０を平らにできる。このようにすれば、例えば、複数個のウエイトバンド１を平積みできて便利である。
【００３５】
抜け止め部１５の抜け止め機能を解除する手段として、例えば、リング１３に設けられる貫通穴１３ａの厚みを厚くして、抜け止め部１５の向きを所定の角度回転した場合（例えば図１において時計回り方向或いは反時計回り方向に９０°程度回転した場合）に、抜け止め部１５がリング１３の貫通穴１３ａをすり抜けるようにしてもよい。このようにすれば、特に必要な場合だけ、抜け止め部１５の抜け止め機能を解除することが可能である。そして、抜け止め機能を解除する前の状態にも簡単に戻せる。
【００３６】
なお、貫通穴１３ａの厚みを大きくし過ぎると、抜け止め部１５は、斜めになる（図１において紙面と垂直な方向に傾いた状態になる）だけで簡単に貫通穴１３ａをすり抜けてしまう可能性がある。これでは、抜け止め部１５の抜け止め機能が無いに等しくなるので、貫通穴１３ａの厚みの調整は重要になる。
【００３７】
抜け止め部１５の抜け止め機能を解除する他の手段として、抜け止め部１５が、締付ベルト１４に対して着脱可能に取り付けられる構成が採用されてもよい。このような構成を実現すべく、図５に示すように、抜け止め部１５に対してカラビナ構造が適用されてもよい。
【００３８】
図５に示す抜け止め部１５は、ゲート部１５１がピン１５２を中心として一方向（内向き）に回動可能になっている。ゲート部１５１は、不図示の弾性部材（例えば板バネ等）の付勢力によって通常は閉じられた状態（図５（ａ）の状態）になり、弾性部材の付勢力に反する押圧力を加えると開いた状態（図５（ｂ）の状態）になる。このようにすれば、抜け止め機能を解除した場合には、抜け止め部１５を締付ベルト１４から簡単に外すことができ、抜け止め機能が必要な場合には、抜け止め部１５を締付ベルト１４に簡単に取り付けることができる。
【００３９】
また、以上に示した実施形態では、締付ベルト１４がまっすぐに折り返された場合に、大部分が締付ベルト１４自身に重なり、締付ベルト１４とバンド本体部１０の重なりが小さくなることが有り得る。このような場合には、締付ベルト１４のバンド本体部１０に対する固定が不十分になる可能性がある。これに対する対策として、例えば、締付ベルト１４に設ける面ファスナー１１について、オスメスが混在する構成としてもよい。
【００４０】
他の対策として、リング１３に設けられる貫通穴１３ａの形状を、図６に示すように平面視台形状にしてもよい。このようにすれば、リング１３で折り返された締付ベルト１４が、自然と斜めになり、締付ベルト１４とバンド本体部１０とが重なり易くなる。更に他の対策として、連結ベルト１４が固定される部分を明示すべく、バンド本体部１０に目印（色の変更、表示物の貼付等）を設けても構わない。
【００４１】
その他、以上においては、本発明のウエイトバンドが手首に適用される場合を示したが、これは一例にすぎず、本発明は、人体の他の部分に適用されるウエイトバンドに適用されてよいのは勿論である。
【符号の説明】
【００４２】
１  ウエイトバンド
１０  バンド本体部
１１  面ファスナー（固定手段）
１１ａ  面ファスナーの一方
１１ｂ  面ファスナーの他方
１３  リング（ベルト通し部）
１３ａ  貫通穴
１４  締付ベルト
１５  抜け止め部
【図１】
2016042979.tif 000003
【図２】
2016042979.tif 000004
【図３】
2016042979.tif 000005
【図４】
2016042979.tif 000006
【図５】
2016042979.tif 000007
【図６】
2016042979.tif 000008